(57)【要約】【課題】ＬＥＤ光源から発光する光の拡散光に対して、十分な吸収効果を有しＬＥＤ光源から発光する光を鮮明に視認することができる光吸収板を得る。【解決手段】光吸収板は、合成樹脂或いは金属から成る所望形状の平板の一方面に、接着剤層を介在して黒色短繊維を静電植毛法によって濃密度に植毛して植毛面を形成し、光吸収機能を発揮するように構成することで、植毛面に照射される光を吸収して反射を防止する。黒色短繊維について、黒色着色剤（カーボンブラック）を混入した合成樹脂から成る短繊維を使用することで、可視光線の全領域について植毛面で効率良く光を吸収することができる。【選択図】  図１
2008058935.tif 000002
【特許請求の範囲】
【請求項１】
合成樹脂或いは金属から成る所望形状の平板の一方面に、接着剤層を介在して黒色短繊維を静電植毛法によって濃密度に植毛して植毛面を形成し、光吸収機能を発揮する構成としたことを特徴とした光吸収板。
【請求項２】
前記黒色短繊維は、短繊維の表面を黒色着色剤で着色した合成樹脂から成る短繊維である請求項１に記載の光吸収板。
【請求項３】
前記黒色短繊維は、黒色着色剤を混入した合成樹脂から成る短繊維である請求項１に記載の光吸収板。
【請求項４】
前記平板は、植毛面と反対側の面を所望の色彩で着色した平板とした請求項１乃至３のいずれか１項に記載の光吸収板。
【請求項５】
前記黒色短繊維が前記平板の鉛直方向に対して傾斜して形成される植毛面を有する請求項１に記載の光吸収板。
【請求項６】
前記平板に多数の孔を穿設した請求項１乃至４のいずれか１項に記載の光吸収板。
【請求項７】
請求項６に記載の光吸収板の前記多数の穿設した各孔に、ＬＥＤ光源を配設して成ることを特徴とするＬＥＤ光源固定板。
【請求項８】
請求項１乃至４のいずれか１項に記載の光吸収板について、該光吸収板の植毛面を内側として湾曲して形成したことを特徴とした信号機用フードカバー。
【請求項９】
請求項５に記載の光吸収板について、該光吸収板の植毛面を内側として湾曲して形成し、植毛面に形成された黒色短繊維が信号機の光源設置側に傾斜するように装着可能であることを特徴とした信号機用フードカバー。
【請求項１０】
鉄道、或いは道路に設置される信号機であって、該信号機に装着される信号灯に付設されるフードカバーを、請求項８又は９に記載の信号機用フードカバーで構成したことを特徴とした信号機。
【発明の詳細な説明】
【技術分野】
【０００１】
本発明は、道路や鉄道線路に設置される標識としての信号機の信号灯の上に装着される信号機用フードカバーや、信号機や表示案内としてのディスプレイ装置を構成するＬＥＤ光源を固定するためのＬＥＤ光源固定板に使用される光吸収板に関する。
【背景技術】
【０００２】
鉄道や道路に設置される信号機８０には、図８に示すように、交通信号を示す赤色、黄色、青色から成る各信号灯８１が配されている。この信号灯が直射日光を受けた場合など信号灯の発光状態が見え難くなる不都合が生じる。このような不都合がおきないように、信号機の各信号灯にはフードカバー８２が装着されて構成されている。また、フードカバー８２は、信号灯８１から照射された光の拡散光が反射して信号色の輪郭がぼやけないように、その信号灯のフードカバー８２側内面８３には黒色の反射防止塗料が塗布されることで光吸収板としての機能を併せ持つ。
【０００３】
近年、信号機や各種案内としてのディスプレイ装置の光源として、視認性に優れ、且つ耐久性を向上させたＬＥＤ光源の使用が増加してきた。
信号機の信号灯に使用するＬＥＤ光源は、光の強度が向上したことで、ＬＥＤ光源による信号灯には反射防止塗料が塗布された塗装アルミ板を使用したフードカバー８２側内面８３が使われているが、それでは反射防止効果が十分でなく、信号灯８１から発光した光がフードカバー８２で反射し、信号灯としての輪郭がぼやけるという状況が生じるに至った。
【０００４】
信号機において、信号灯からの反射を防止する構造としては特許文献１に示すように種々提案されているが、フードカバーの表面について、反射防止塗料を塗布する以外の対策についての提案はなかった。
【特許文献１】特開２００３−１７３４９６
【０００５】
また、ＬＥＤ光源９１は、図９に示すように、多数の孔９２が穿孔された合成樹脂製のＬＥＤ光源固定板９０の各孔９２に固定されている。そのＬＥＤ光源固定板の面９３には黒色の艶消塗料が塗布された光吸収板あるいは黒色の樹脂成型品（表面艶消し仕上げ）で構成され、ＬＥＤ光源から発光される光の拡散光の反射を抑える構造となっている。
しかしながら、ＬＥＤ光源固定板９０に反射防止塗料や艶消塗料を塗布しただけではＬＥＤ光源からの発光に対して反射防止効果が十分でなく、従ってＬＥＤ光源からの発光の輪郭がぼやけるという現象が生じてしまう。
【０００６】
多数のＬＥＤ光源を以て所望の文字図柄状に配して構成する案内用のディスプレイ装置についても、各ＬＥＤ光源は黒色の艶消し塗料が塗布されたＬＥＤ光源固定板に配設されているが、上記同様の現象が生じていた。
本発明は、合成樹脂、金属から成る物体（平板としてもよい）に、静電植毛法により黒色短繊維から成る植毛面を形成することにより、植毛面を形成する短繊維群の無数の縦、横から成る隙間に光の吸収機能をもたせた光の拡散光吸収体を作ろうとするものである。
【発明の開示】
【発明が解決しようとする課題】
【０００７】
本発明は上記実情に鑑みてなされたもので、ＬＥＤ光源から発光する光の拡散光に対して、十分な光吸収効果を有しＬＥＤ光源から発光する光を鮮明に視認することができる信号機用フードカバー、ＬＥＤ光源固定板としての機能を発揮する植毛金属板から成る光吸収板を提供することを目的としている。
【課題を解決するための手段】
【０００８】
上記目的を達成するため請求項１の光吸収板は、合成樹脂或いは金属から成る所望形状の平板の一方面に、接着剤層を介在して黒色短繊維を静電植毛法によって濃密度に植毛して植毛面を形成し、該植毛面を形成する短繊維群による無数の縦或いは横方向に形成された短繊維間の超微小隙間によって光源から光の拡散光の光吸収機能を発揮する構成としたことを特徴としている。
【０００９】
請求項２の光吸収板は、請求項１において、前記黒色短繊維は、短繊維の表面を黒色着色剤で着色した合成樹脂から成る短繊維であることを特徴としている。
【００１０】
請求項３の光吸収板は、請求項１において、前記黒色短繊維は、黒色着色剤を混入した合成樹脂から成る短繊維であることを特徴としている。
【００１１】
請求項４の光吸収板は、請求項１乃至３のいずれか１項において、前記平板は、植毛面と反対側の面を所望の色彩で着色した平板としたことを特徴としている。
【００１２】
請求項５の光吸収板は、請求項１において、前記黒色短繊維が前記平板の鉛直方向に対して傾斜して形成される植毛面を有することを特徴としている。
【００１３】
請求項６の光吸収板は、請求項１乃至４のいずれか１項において、前記平板に多数の孔を穿設したことを特徴としている。
【００１４】
請求項７のＬＥＤ光源固定板は、請求項６に記載の光吸収板の前記多数の穿設した各孔に、ＬＥＤ光源を配設して成ることを特徴としている。
【００１５】
請求項８の信号機用フードカバーは、請求項１乃至４のいずれか１項に記載の光吸収板について、該光吸収板の植毛面を内側として湾曲して形成したことを特徴としている。
【００１６】
請求項９の信号機用フードカバーは、請求項５に記載の光吸収板について、該光吸収板の植毛面を内側として湾曲して形成し、植毛面に形成された黒色短繊維が信号機の光源設置側に傾斜するように装着可能であることを特徴としている。
【００１７】
請求項１０の信号機は、鉄道、或いは道路に設置される信号機であって、該信号機に装着される信号灯に付設されるフードカバーを、請求項８又は９に記載の信号機用フードカバーで構成したことを特徴としている。
【発明の効果】
【００１８】
本発明の光吸収板によれば、平板の一方面に形成された短繊維植設接着層に黒色短繊維が植毛密度を密にして植毛された植毛層とすることで、植毛層を形成する短繊維群による植毛層面からの無数の縦或いは植毛層の厚みからの無数の横方向に形成される超微小隙間によって光源からの拡散光をこの植毛層で効率的に吸収することができる。
また、黒色短繊維について、着色剤を混入した合成樹脂から成る短繊維で形成することにより、６６０ｎｍ以上の波長の光に対しても優れた吸収効果を発揮することができ、赤色の光を含む可視光線に対して吸収効果を得ることができる。
【００１９】
したがって、この光吸収板をＬＥＤ光源固定板２２に使用すれば、植毛層２５において光源から照射される光の拡散を吸収し反射を防止できるので、発光部位の輪郭をくずすことなく認識し易くすることができる。
また、光吸収板を信号機用フード３０に使用すれば、植毛面３１において光源から照射される光の拡散光を吸収し反射を防止できるので、信号灯による発光部位の輪郭が認識しやすい信号機を得ることができる。
【発明を実施するための最良の形態】
【００２０】
本発明の信号機用フードカバー或いはＬＥＤ光源固定板を作るために用いる光吸収板は、所望の材料から成り所望形状を有する平板の一方面に形成した合成樹脂接着剤層である短繊維植設接着層に、黒色短繊維を静電植毛法によって直立した密集状態で濃密度に植毛した植毛層を設けることで、光源からの光の拡散光の光吸収機能を発揮するように構成されている。所望の材料とは、例えば、合成樹脂、金属等、静電植毛が可能な材料であればよく、使用場所に応じて適宜選択される。また、平板の形状は、使用箇所に応じた適宜形状であり、例えば方形、円形等で形成されている。
【００２１】
所望の材料の平板は、例えば、表面処理鋼板、ステンレス鋼板、アルミニウム板、アルミニウム合金板、銅板、マグネシウム合金板、ニッケル箔、鉄−ニッケル合金板等の加工性と強度を有する金属板を用いるのが望ましい。
【００２２】
前記金属板の表面は、接着剤との密着強度を高めるため、事前に金属板メーカーにてクロメート処理やリン酸塩処理等の化成処理、もしくはクロムを含まない有機もしくは無機複合皮膜、もしくは表面研磨処理等が施されても良い。
【００２３】
また、金属面の前記表面処理面（植毛面）と反対側の面は、塗料によりカラーコーティング、又は、電着により塗装されている。
【００２４】
表面処理鋼板としては、亜鉛めっき、亜鉛合金めっき、ニッケルめっき、ニッケル合金めっき、錫めっき、銅めっきあるいは銅合金めっきなどを被覆した電気めっき鋼板を用いることができる。亜鉛合金めっきとしては、亜鉛−ニッケル合金めっき、亜鉛−鉄合金めっき、亜鉛−コバルトめっきが適用でき、さらに亜鉛−コバルト−モリブデン複合めっき鋼板が適用できる。ニッケル合金めっきとして、リン、ボロン、錫、コバルトなど含んだニッケル合金めっき鋼板が適用できる。また、亜鉛、アルミニウム、マグネシウムあるいはこれらの合金を含んだ溶融亜鉛めっき鋼板、溶融亜鉛−アルミニウム−マグネシウム−シリコンめっき鋼板、溶融亜鉛−アルミニウムめっき鋼板または溶融アルミニウムめっき鋼板も適用できる。
【００２５】
さらに、これらのめっき鋼板に公知の化成処理を施した表面処理鋼板も適用できる。例えば、クロメート処理、リン酸塩処理、リチウム−シリケート処理、シランカップリング処理、ジルコニウム処理あるいは、ウレタン樹脂、アクリル樹脂、ポリエステル樹脂、フッ素樹脂エポキシ樹脂を含有した有機樹脂処理が適用できる。
【００２６】
植毛面に植毛される黒色短繊維としては、繊維の製造後に該繊維を極短に切断し、その表面に対して黒色着色剤（塗料又は染料）でカラーコートする繊維（以下、「塗装パイル」という）を使用する。
【００２７】
また、黒色短繊維として、黒色着色剤（顔料）を混入した合成樹脂から成る短繊維を使用してもよい。この黒色着色剤（顔料）を混入した合成樹脂から成る短繊維は、繊維の製造段階で顔料を含ませて色付けが行われた繊維を極短に切断したもの（以下、「原着パイル」という）である。この原着パイルは、繊維メーカーによる製造段階で、例えばナイロン材にカーボンブラックを含ませることで、着色剤（顔料）が混入されたナイロンパイルとしたものである。
【００２８】
原着パイルは、塗装パイルに比較して耐光性、耐食性が優れているので、光吸収板の植毛面を形成するパイルとして好適である。
また、原着パイルによる植毛面は、６６０ｎｍ以上の波長の光に対しても優れた吸収効果を発揮することができるので、赤色を含む可視光線に対して吸収効果を得ることができ、赤色の信号灯からの拡散光を吸収する光吸収板の植毛面を形成するパイルとして適している。
【００２９】
前記した塗装パイル及び原着パイルは、表面にフッ素樹脂をコーティング処理することで、撥水性を持たせるようにしてもよい。パイルに撥水性を持たせることにより、植毛された着色短繊維を雨等で濡れにくくし、汚れの発生を抑えることができるので、屋外に配置されるＬＥＤ光源固定板やフードカバー等の信号機における植毛面として適したものになる。
【００３０】
上述の光吸収板をＬＥＤ光源固定板や信号機用フードカバーに適用した具体例について、図１〜図４を参照しながら説明する。
【００３１】
図１は道路等に設置される交通信号機を示すもので、該交通信号機は、信号機本体１０と、信号機本体１０に設置された赤青黄の各色毎に発光する３個の信号灯２０と、各信号灯２０の上方に付設されたアルミニウム材のフードカバー３０を具備して構成されている。図２に示すように、前記交通信号機に配設された各信号灯２０はそれぞれ赤色・黄色・青色を発光する信号灯とするため、各色毎に発光する多数のＬＥＤ光源２１が各色毎のグループとして光吸収板であるＬＥＤ光源固定板２２に配設されている。前記したＬＥＤ光源を配設したＬＥＤ光源固定板２２は透明カバー２３から被覆する構成されている。
【００３２】
ＬＥＤ光源固定板２２は、図３に示すように、黒色着色剤を混入した合成樹脂から成る短繊維（原着パイル２４）を静電植毛法によって濃密度に植毛した植毛面２５を一方側に形成する光吸収板として、光吸収板の所定の箇所を円形領域から成る光源埋設箇所とし、該箇所の円形領域内に多数のＬＥＤを埋設するそれぞれの孔２６を穿設し、該穿設された孔２６の中に、該孔２６からに対して植毛面側にＬＥＤ光源２１を臨ませるように埋設して構成されている。
信号灯２０は、前記光吸収板の円形領域内に配設されたグループ毎の複数のＬＥＤ光源２１を例えば青、赤、黄色に点灯することにより信号表示を行うが、ＬＥＤ光源固定板２２は黒色短繊維を濃密に植毛した植毛面２５を設けこれにＬＥＤ光源を前記した状態で配設することにより植毛面を形成した濃密に植毛した黒色短繊維がＬＥＤ光源から発光する光の拡散光を吸収して拡散光の反射を抑え、ＬＥＤ光源全体周囲の円形輪郭を明確に表示させることができる。
【００３３】
フードカバー３０は、黒色着色剤を混入した合成樹脂から成る短繊維（原着パイル）を静電植毛法によって濃密度に植毛した植毛面３１を平板の一方側に形成する光吸収板として、該光吸収板の植毛面３１が内側となるように信号灯２０の円形周囲に沿って湾曲させ、植毛面３１側が信号灯２０側に位置するように信号機の信号機本体１０に固定されている。
したがって、信号灯２０からフードカバー側へ照射される発光する光の拡散光は、可視光線全域において植毛面３１で吸収されて反射が抑えられるので、各色の信号灯２０の円形輪郭を明確に表示させることができる。
【００３４】
また、フードカバーに使用される光吸収板は、平板の鉛直方向に対して黒色短繊維が信号機の信号灯２０側に傾斜するように形成された植毛面３１を有していることが好ましい。これは、信号灯２０からフードカバーに向かって照射される光が、黒色短繊維が傾斜されて配置されることにより、植毛面３１を形成する黒色短繊維群により無数の縦方向に形成される超微小隙間に導き易くさせることができ、光源からの拡散光をこの植毛面３１で効率的に吸収させて反射を防止するためである。
植毛面に形成された黒色短繊維が信号機の信号灯２０側に傾斜する植毛面を有する光吸収板を形成するには、静電植毛された植毛金属板をロール状に巻き取るに際して、植毛面が押圧されるようにすることで、植毛面の短繊維を一方向側に傾斜させた状態とすることができ、このようにして作製された植毛金属板を使用すればよい。
【００３５】
上述した植毛金属板から成る信号機用フードカバー３０が装着された信号機を構成する信号灯は、光吸収板の円形領域内に穿設された多数の孔にＬＥＤ光源をそれぞれ配設して信号灯２０として装着される構造であるが、多数のＬＥＤ光源を人物図形に並べて表示された歩行者用（横断歩道用）の信号灯器、若しくは多数のＬＥＤ光源を青色矢印状に配置した標識においても上記構造のフードカバーが使用できることは勿論である。
また、植毛面２５を有するＬＥＤ光源固定板２２は、信号灯に使用する他に、図５に示されるような、縦横に格子状に多数のＬＥＤ光源２１が配列され所望箇所を点灯させることで、文字等を表示可能とする案内用のディスプレイ装置に適用してもよい。
【００３６】
次に、上述した信号機用フードカバー及びＬＥＤ光源固定板である光吸収板の製造方法について説明する。
先ず、コイル状に巻かれた長尺の金属板を巻き解きながら、この金属板（帯状板）の一方面（例えば下方面）に、短繊維を植え付けるための接着剤を塗布した接着剤層を形成する。接着剤層を形成する接着剤としては、スチレン・アクリル酸エステル系エマルジョンを使用した。また、接着剤層は、光吸収効果を有効に発揮させるために、黒色の着色剤が混入されることで黒色となっている。この接着剤の塗布は、ロールコーター等の手段によって前記金属板（帯状板）の一方面に行われるが、後述する打ち抜き工程により打抜かれてフードカバー材となる部分にのみ接着剤が塗布されるようにしてもよい。
金属板としては、信号機の部品として使用されるに適するように、軽量で０．０３〜３．０ｍｍの板厚を有するアルミニウム板が使用される。
【００３７】
接着剤層を黒色とすると、さらに光吸収効果は大きくなる。黒色とするためには、黒色の顔料を接着剤層に混入すると良い。黒色顔料としては、公知のものが適用でき、例えばチャンネル系ブラック、ファーネスブラック、アセチレンブラックあるいはケッチェンブラックなどのカーボンブラックが適用できる。また、人造黒鉛、鱗片状黒鉛、鱗状黒鉛あるいは土壌黒鉛などの黒鉛も適用できる。
【００３８】
次に、帯状板の接着剤塗布側に、黒色の着色剤が混入された着色短繊維を静電植毛法により濃密に植毛する（植毛鋼板を得る工程）。
静電植毛法は、接着剤が塗布されたワークである帯状板を静電植毛室内にアース状態に置いて、該ワークに対設された電極に高圧静電気を印加して、該電極と該ワークの間に生じた電界中に着色短繊維を飛翔させ、この黒色に着色された黒色短繊維（塗装パイル又は原着パイル）を帯電させて、電界中の電気力線の方向に沿って着色短繊維をワークの表面に形成された接着剤層に密植状態で直立させて突き刺して植設する技術である。
【００３９】
植毛に使う着色短繊維としては、再生繊維、合成繊維、半合成繊維などの化学繊維、又は植物繊維、動物繊維、炭素繊維、ガラス繊維等の天然繊維が使用できる。有機繊維あるいは無機繊維のどちらでも使用できる。有機繊維として、ナイロン、アクリル、ポリエステル、ポリプロピレン、ポリ塩化ビニル、ポリ塩化ビニリデンあるいはフッ素樹脂などからなる公知の繊維が適用できる。
【００４０】
また、ここで使用される着色短繊維は、繊維の製造段階（繊維メーカーによる製造段階）で顔料（カーボンブラック塗料）を含ませて色付けが行われた繊維から構成されているパイル（原着パイル）が好適である。したがって、この着色短繊維（原着パイル）は、通常の植毛鋼板で使用されているパイル表面に塗料層が設けられている塗装パイルと異なり、パイルに塗料が内在しているような構造となるため、耐光性、耐食性が優れているとともに、植毛面について塗装パイルに比較して６６０ｎｍ以上の波長の光に対する吸収性を向上させることができる。
【００４１】
上記工程を経て作られた植毛金属板は次の構成となる。即ち、金属板或いは合成樹脂板の片面に形成された短繊維植設層に植毛密度を濃密にした短繊維群が植設された短繊維の長さに応じた所望の厚さをもった植毛層が形成される。
この植毛層は、上面からも側面からも短繊維群が無数の超極微小の隙間が形成された植毛層として形成されている。植毛層は次の機能を果たす。光源からの拡散光がこの植毛層の上面或いは側面に照射されたときは、その拡散光はその植毛層の超極微小隙間に入り込み、その光は吸収される。
【００４２】
前記工程を経て形成された光吸収板である植毛金属板を所望の大きさのＬＥＤ光源用材或いは平板形状のフードカバー材として打ち抜く（打ち抜き工程）。
【００４３】
そして、前記打ち抜き工程を経たフードカバー材について、前記着色短繊維を植毛した面３１を内側にして所望のアール面を形成するようプレス処理して湾曲させることで、図４に示すような信号機用フードカバー３０が形成される。
また、前記打ち抜き工程を経たＬＥＤ光源用材について、所望の図柄を形成する穿孔群を穿設することでＬＥＤ光源固定板が形成される。
ＬＥＤ光源固定板を得る場合には、打ち抜き工程を経て、穿孔群が穿設された平板を形成した後に、その一方の面に黒色短繊維を静電植毛法により植毛するようにしてもよい。
【００４４】
次に、本発明のＬＥＤ光源固定板や信号機用フードカバーに使用される原着パイル（着色剤が混入された着色短繊維）を植毛した植毛面を有する光吸収板と、塗装パイルを植毛した植毛面を有する光吸収板と、従来の塗装鋼板について、それぞれの吸収性を比較する実験を行った。
実験は、原着パイルを植毛した光吸収板、塗装パイルを植毛した光吸収板、反射を防ぐ艶消しポリエステル系塗料が塗布された塗装鋼板を試験体として行った。波長の計測範囲は可視光線である３５０〜８００ｎｍ、計測間隔は０．５ｎｍである。測定は光を試験体に垂直に当て、正反射光及び拡散した光も収集し分光光度計により測定した。
原着パイルには、ポリへキサメチルアジパミドを使用し、パイルを植え付けるための接着剤としては、スチレン・アクリル酸エステル系エマルジョンを使用した。
【００４５】
光反射率は、横軸に波長をとった場合、図６に示すようなグラフとなった。
図６のグラフより、塗装鋼板に比較して塗装パイル及び原着パイルの植毛面を有する光吸収板は、７００ｎｍ以下の波長について光反射率が低くなり（塗装鋼板が約６％に対して、植毛面を有する光吸収板が０．６％）光吸収効果が向上している。また、原着パイルを植毛した場合には、塗装パイルの光吸収板に比較して、６６０ｎｍ以上の波長においても光反射率を０．６％程度に安定させることができる。
したがって、原着パイルによる植毛面は、全波長領域について、塗装鋼板より光反射率が低く、吸収性が高いことが判る。
原着パイルによる植毛面は、６６０ｎｍ以上において、塗装パイルが植毛された植毛面より光反射率が低く、吸収性が高いことが判る。
赤色の波長は、６１０〜７００ｎｍであるので、原着パイルが植毛された植毛面は赤色の信号灯に対して有効に拡散光を吸収し反射を防止することが可能となる。
【００４６】
次に、光反射率の経年変化についての実験例を示す。
この試験では、上述した原着パイルを植毛した光吸収板の複数の試験体について、屋外にそれぞれ３ヶ月、６ヶ月、２年暴露し、その光反射率を分光吸光計により計測し、無暴露の試験体と比較した。波長の計測範囲は可視光線である３５０〜８００ｎｍ、計測間隔は０．５ｎｍである。測定は光を試験体に垂直に当て、正反射光及び拡散した光も収集し分光光度計により測定した。
【００４７】
光反射率の経年変化は、横軸に波長をとった場合、図７に示すようなグラフとなった。また、無暴露、３ヶ月暴露、６ヶ月暴露、２年暴露した試験体の平均の光反射率を表１に示す。
【００４８】
【表１】
2008058935.tif 000003
【００４９】
図７のグラフ及び表１より、３ヶ月暴露、６ヶ月暴露、２年暴露した試験体の光反射率は、無暴露の試験体の反射率に比較して、１３〜２３％程度増加する程度に収まり、実用上問題ないことが確認できた。
【００５０】
また、３ヶ月暴露、６ヶ月暴露、２年暴露の平均光反射率は、それぞれ０．５７７、０．６５１、０．７０９であるので、これについて横軸を年、縦軸を平均光反射率としたグラフにプロットし、プロット点を直線で近似すると、２０年暴露後の平均光反射率予測値は１．５％となる。前記した図６のグラフにおける塗装鋼板（反射を防ぐ艶消しポリエステル系塗料が塗布されている）の平均光反射率（無暴露）が５〜６％程度あるので、原着パイルを植毛した光吸収板は、２０年暴露したものであっても塗装鋼板より光吸収効果が高いことが推察できる。
【産業上の利用可能性】
【００５１】
本発明に係る光吸収板は、黒色短繊維を植毛した植毛面を有しているので、光吸収効果を発揮でき、この部分に照射される光を吸収して反射を防止できるので、光の吸収が必要な部位（例えばＬＥＤ光源固定板や信号機用フードカバーなど）に利用できる。
黒色短繊維について、黒色着色剤（顔料）を混入した合成樹脂から成る短繊維を使用することで、可視光線の全領域について植毛面で効率良く光が吸収される。
【図面の簡単な説明】
【００５２】
【図１】（ａ）〜（ｃ）は本発明の信号機の一例を示すもので、（ａ）は平面説明図、（ｂ）は正面説明図、（ｃ）は側面説明図である。
【図２】信号機に装着されるＬＥＤ光源を使用した信号灯の正面説明図である。
【図３】ＬＥＤ光源が固定されるＬＥＤ光源固定板の一部断面説明図である。
【図４】信号機用フードカバーの斜視説明図である。
【図５】案内用のディスプレイ装置の平面説明図である。
【図６】原着パイルを植毛した光吸収板、塗装パイルを植毛した光吸収板、塗装鋼板の光反射率についての測定結果を示すグラフ図である。
【図７】原着パイルを植毛した光吸収板について、無暴露、３ヶ月暴露、６ヶ月暴露、２年暴露した場合における光反射率の測定結果を示すグラフ図である。
【図８】信号機の斜視説明図である。
【図９】従来のＬＥＤ光源固定板の構造を示す一部断面説明図である。
【符号の説明】
【００５３】
１０  信号機本体
２０  信号灯
２１  ＬＥＤ光源
２２  ＬＥＤ光源固定板
２４  原着パイル
２５  植毛面
２６  孔
３０  信号機用フードカバー
３１  植毛面
【図１】
2008058935.tif 000004
【図２】
2008058935.tif 000005
【図３】
2008058935.tif 000006
【図４】
2008058935.tif 000007
【図５】
2008058935.tif 000008
【図６】
2008058935.tif 000009
【図７】
2008058935.tif 000010
【図８】
2008058935.tif 000011
【図９】
2008058935.tif 000012